(57)【要約】【課題】  ポリエステル衣料の洗浄において、十分な洗浄力と漂白力とを与えつつ、移染による色目変化が少ない洗浄用組成物を提供する。【解決手段】  非イオン界面活性剤と、アルカリ金属珪酸塩及びアルカリ金属水酸化物からなる群から選択される少なくとも１種のアルカリ剤とを含むポリエステル衣料移染防止洗浄用組成物であって、洗濯液としたときのｐＨが１１．５以上であり、アルカリ金属炭酸塩、アルカリ金属リン酸塩、及びアミノカルボン酸塩の前記洗濯液中の濃度が０．２質量％未満である、前記組成物を提供する。【選択図】なし【特許請求の範囲】
【請求項１】
非イオン界面活性剤と、アルカリ金属珪酸塩及びアルカリ金属水酸化物からなる群から選択される少なくとも１種のアルカリ剤とを含むポリエステル衣料移染防止洗浄用組成物であって、洗濯液としたときのｐＨが１１．５以上であり、アルカリ金属炭酸塩、アルカリ金属リン酸塩、及びアミノカルボン酸塩の前記洗濯液中の濃度が０．２質量％未満である、前記組成物。
【請求項２】
非イオン界面活性剤が、スチレン化フェノールアルキレンオキサイド付加物、高級アルコールのアルキレンオキサイド付加物、及びアルキルアミンアルキレンオキサイド付加物からなる群より選択される１種以上である、請求項１記載の組成物。
【請求項３】
請求項１記載の組成物を使用することを含む、ポリエステル衣料移染防止洗浄方法。
【請求項４】
非イオン界面活性剤が、スチレン化フェノールアルキレンオキサイド付加物、高級アルコールのアルキレンオキサイド付加物、及びアルキルアミンアルキレンオキサイド付加物からなる群より選択される１種以上である、請求項３記載の方法。
【発明の詳細な説明】
【技術分野】
【０００１】
本発明は、移染防止効果を有する洗浄用組成物及びそれを用いる洗浄方法に関する。特に、本発明は、非イオン界面活性剤と特定のアルカリ剤とを含む洗浄用組成物であって、ポリエステル衣料を洗浄するにあたり、同浴中に存在する衣料への色移りを防止する効果を有する洗剤に関する。
【背景技術】
【０００２】
現在、看護師等のユニフォーム等はデザイン重視になっており、従来の単色のユニフォームから、部分的に色物を使った混色のユニフォームが増えてきている。また、素材も耐久性の観点から、綿素材ではなくポリエステル繊維を使用したものが増えてきている。ポリエステル繊維は分散染料によって高温高圧で染色されるため、一般的な洗濯条件では比較的色は流れにくいとされているが、染色後のソーピング不足や、加工剤に含まれる界面活性剤等による繊維表面へのブリードにより、強い条件で洗浄した際には移染が発生する場合がある。特に、単色品同士の洗濯では、色流れや移染が外見上問題となることは少ないが、混色品又は染色品と白物とを一緒に洗濯した場合は、白場汚染による色目バラつきが問題となる。
【０００３】
しかしながら、移染を抑えるために洗浄条件を弱くすると、十分な洗浄力を与えることができず、また、十分な洗浄力を与えようと洗浄条件を強くすると、色流れが発生し他の色の生地に移ってしまうという問題が生じてきた。
【０００４】
従来、移染を防止するための組成物としては、例えば、高級脂肪族アミンのアルキレンオキサイド付加物等を含む洗剤（特許文献１参照）、ビニルピリジン部を有する単量体に由来した構成単位を含む高分子化合物とアルカノールアミンとを含有する洗浄剤組成物であって、非イオン界面活性剤と非石鹸系アニオン界面活性剤との合計の含有量および混合割合を特定のものとした組成物（特許文献２参照）、移染防止剤と特定の化学構造を有するノニオン性化合物等を含む洗浄剤組成物（特許文献３参照）が提案されている。
【０００５】
しかしながら、特許文献１〜３は、いずれも洗浄用組成物の綿素材への適用を開示するものであり、ポリエステル衣料における移染防止効果は、未だ不十分なものであった。
【先行技術文献】
【特許文献】
【０００６】
【特許文献１】特開平８−１５１５９６号公報
【特許文献２】特開２００８−００１７７０号公報
【特許文献３】特開２００６−００８９５１号公報
【発明の概要】
【発明が解決しようとする課題】
【０００７】
本発明は、ポリエステル衣料の洗浄において、十分な洗浄力と漂白力とを与えつつ、移染による色目変化が少ない洗浄用組成物を提供することを目的とする。
【課題を解決するための手段】
【０００８】
本発明者らは、このような解題を解決するために鋭意検討した結果、ポリエステル衣料を洗浄するにあたり、非イオン界面活性剤と、アルカリ金属珪酸塩及びアルカリ金属水酸化物からなる群から選択される少なくとも１種のアルカリ剤とを含む洗浄用組成物を使用することにより、十分な洗浄力と漂白力とを保持しつつ、移染が抑制されることを見出し
、本発明の完成に至った。
すなわち本発明は、以下の発明に関する。
【０００９】
［１］非イオン界面活性剤と、アルカリ金属珪酸塩及びアルカリ金属水酸化物からなる群から選択される少なくとも１種のアルカリ剤とを含むポリエステル衣料移染防止洗浄用組成物であって、洗濯液としたときのｐＨが１１．５以上であり、アルカリ金属炭酸塩、アルカリ金属リン酸塩、及びアミノカルボン酸塩の前記洗濯液中の濃度が０．２質量％未満である、前記組成物。
［２］非イオン界面活性剤が、スチレン化フェノールアルキレンオキサイド付加物、高級アルコールのアルキレンオキサイド付加物、及びアルキルアミンアルキレンオキサイド付加物からなる群より選択される１種以上である、上記［１］記載の組成物。
［３］上記［１］記載の組成物を使用することを含む、ポリエステル衣料移染防止洗浄方法。
［４］非イオン界面活性剤が、スチレン化フェノールアルキレンオキサイド付加物、高級アルコールのアルキレンオキサイド付加物、及びアルキルアミンアルキレンオキサイド付加物からなる群より選択される１種以上である、上記［３］記載の方法。
【発明の効果】
【００１０】
本発明の洗浄用組成物は、ポリエステル衣料の洗浄において、十分な洗浄力と漂白力とを保持しつつ、移染を抑制することができるものである。
【発明を実施するための形態】
【００１１】
以下、本発明をさらに詳細に説明する。
１．アルカリ剤
本発明において使用されるアルカリ剤は、アルカリ金属珪酸塩及びアルカリ金属水酸化物からなる群から選択される少なくとも１種である。アルカリ金属珪酸塩としては、安全性の観点から、オルソ珪酸塩やメタ珪酸塩を使用することが好ましく、さらに好ましくは、オルソ珪酸ナトリウムやメタ珪酸ナトリウムを使用することが、特に、メタ珪酸ナトリウムを使用することが望ましい。また、アルカリ金属水酸化物としては、性状や価格の観点から、水酸化ナトリウムや水酸化カリウムを使用することが好ましく、さらに好ましくは、水酸化ナトリウムを使用することが望ましい。
【００１２】
本発明の洗浄用組成物におけるアルカリ剤の濃度は、特に限定されるものではないが、洗濯液とした場合に、総量で、通常、０．０１〜１．０質量％、好ましくは、０．０１５〜０．５質量％、より好ましくは、０．０２〜０．３質量％となるような濃度である。アルカリ剤の濃度が高すぎると、すすぎ回数の増加を招き、アルカリ剤の濃度が低すぎると、所望の洗浄力、漂白力を得ることができない。
【００１３】
また、本発明の洗浄用組成物における炭酸塩、リン酸塩、アミノカルボン酸塩の合計の濃度は、洗濯液とした場合に、０．２質量％未満、好ましくは、０．１質量％未満、より好ましくは、０．０５質量％未満となるような濃度であり、特に、炭酸塩、リン酸塩、アミノカルボン酸塩のいずれも含まないことが望ましい。
【００１４】
上記の炭酸塩の具体例としては、例えば、炭酸ナトリウム、炭酸カリウム等が挙げられ、リン酸塩の具体例としては、例えば、トリポリリン酸ナトリウム、ピロリン酸ナトリウム、ピロリン酸カリウム、リン酸水素二ナトリウム等が挙げられ、アミノカルボン酸塩の具体例としては、ニトリロ三酢酸ナトリウム、エチレンジアミン四酢酸ナトリウム、ジエチレントリアミン五酢酸ナトリウム、トリエチレンテトラミン六酢酸ナトリウム、ヒドロキシエチルエチレンジアミン三酢酸ナトリウム、ヒドロキシエチルイミノ二酢酸ナトリウム、グルタミン酸二酢酸四ナトリウム、メチルグリシン二酢酸ナトリウム等が挙げられる
。
【００１５】
また、本発明の洗浄用組成物のｐＨは、洗濯液とした場合に、１１．５以上であり、好ましくは、１１．５〜１３．０であり、特に、１１．５〜１２．５となるように調整することが望ましい。上記のｐＨが１１．５未満であると、所望の洗浄力、漂白力、移染防止性を得ることができない。
【００１６】
２．非イオン界面活性剤
本発明の洗浄用組成物で使用する非イオン界面活性剤としては、高級アルコールアルキレンオキサイド付加物、アルキル又はアルケニルフェノールアルキレンオキサイド付加物、スチレン化フェノールアルキレンオキサイド付加物、スチレン化アルキルフェノールアルキレンオキサイド付加物、高級アルキルアミンアルキレンオキサイド付加物、脂肪酸アルキレンオキサイド付加物、脂肪酸アミドアルキレンオキサイド付加物、ポリプロピレングリコールアルキレンオキサイド付加物、（モノ又はポリ）グリセロール脂肪酸エステル又はそのアルキレンオキサイド付加物、ショ糖脂肪酸エステル又はそのアルキレンオキサイド付加物、ソルビタン脂肪酸エステル又はそのアルキレンオキサイド付加物等が挙げられる。
【００１７】
上記において、高級アルコールは、通常、炭素数８〜２４の直鎖又は分岐の不飽和又は飽和の高級アルコールであり、アルキル又はアルケニルフェノールは、通常、炭素数６〜２２の直鎖又は分岐の不飽和又は飽和のアルキル又はアルケニルフェノールであり、高級アルキルアミンは、通常、炭素数８〜２４の直鎖又は分岐の不飽和又は飽和の脂肪酸であり、多価アルコールは、通常、炭素数３〜１２の多価アルコールである。また、ポリプロピレングリコールの分子量は、９００〜５０００である。
【００１８】
また、上記において、アルキレンオキサイド付加物のアルキレンオキシ基としては、例えば、エチレンオキシ基、プロピレンオキシ基、ブチレンオキシ基、スチレンオキシ基等が挙げられ、これらは、単独でも、２種以上組み合わせて使用してもよい。２種以上を使用した場合、アルキレンオキサイドの付加形態に特に制限はなく、例えば、ランダム付加、ブロック付加、ランダム付加とブロック付加を組み合わせた形態等が挙げられる。アルキレンオキサイド付加物の付加モル数は、１〜５００が好ましく、１〜１００がより好ましい。
【００１９】
本発明においては、上記の非イオン界面活性剤の中でも、洗浄性、漂白性、移染防止性の観点から、高級アルコールアルキレンオキサイド付加物、スチレン化フェノールアルキレンオキサイド付加物、高級アルキルアミンアルキレンオキサイド付加物が好ましく、特に、洗浄性の観点からは、スチレン化フェノールアルキレンオキサイド付加物が好ましい。
【００２０】
上記において、スチレン化フェノールアルキレンオキサイド付加物としては、例えば、以下の式（１）
【化１】
2020059796.tif 000002
（式中、Ａ1Ｏは炭素数２〜４のアルキレンオキシ基を表し、ａは１〜４、ｂは０〜３の
整数を表し、ａとｂは同一であっても異なっていてもよく、分子中の（ａ＋ａ×ｂ）の総数は１〜４であり、ｄはＡ1Ｏの平均付加モル数であって、５〜２０の整数を表す。）で表されるものが、好ましく使用される。
上記式（１）において、Ａ1Ｏの付加モル数は、分子間で同一であっても異なっていてもよい。
【００２１】
本発明の洗浄用組成物における非イオン界面活性剤の濃度は、特に限定されるものではないが、洗濯液とした場合に、通常、０．００１〜１．０％、好ましくは、０．００５〜０．５質量％、より好ましくは、０．０１〜０．２質量％となるような濃度である。非イオン界面活性剤の濃度が高すぎると、すすぎ回数の増加を招き、非イオン界面活性剤の濃度が低すぎると、所望の洗浄力を得ることができない。
【００２２】
３．その他の成分
本発明の洗浄用組成物には、上記の必須成分の他に、一般的に洗剤に配合される成分を適量添加することができる。このような任意成分としては、モノエタノールアミン、ジエタノールアミン、トリエタノールアミン等のアルカノールアミン、過酸化水素水等の漂白剤、硫酸塩等の増量剤、蛍光染料、プロテアーゼ等の酵素、グリコール系又はアルコール系溶剤、アニオン界面活性剤、逆汚染防止剤等が挙げられる。
【００２３】
４．本発明の洗浄用組成物を用いる洗浄方法
本発明の洗浄用組成物は、そのままで、又は水等で希釈することにより、洗濯液として使用することができる。
【００２４】
本発明の洗浄用組成物を用いて被洗物を洗浄する具体的な方法としては、場合により水等で希釈することにより洗濯液とした前記洗浄用組成物に、被洗物を浸漬させた後、攪拌、回転、落下、振動等の物理的な外力を加えて洗浄する方法が挙げられる。浸漬によって、被洗物に付着した汚れ成分を洗浄液中に溶出させることができ、物理的な外力を加えることによって、被洗物のより細部にまで洗浄液を浸透させ、繊維と汚れ成分との分離を促進させて洗浄効率の向上を図ることができる。
【００２５】
洗浄液の温度は、特に制限されるものではないが、通常、常温〜８０℃、好ましくは、４０〜６０℃、より好ましくは、５０〜６０℃である。また、洗浄時間は、特に制限されるものではないが、通常、１〜６０分、好ましくは、３〜３０分、より好ましくは、５〜２０分である。
【００２６】
洗浄後、被洗物と、汚れ成分の溶出した洗浄液とを分離し、被洗物を乾燥させる。分離方法としては、搾りや、遠心力を利用した方法を採用することができる。また、乾燥方法としては、常温によるもの又は加熱によるものの、いずれの方法でも可能である。
【実施例】
【００２７】
以下、本発明を実施例によりさらに具体的に説明する。これらの実施例は例示のために提供されたものであり、本発明の実施形態を限定するものではない。
なお、以下の実施例及び比較例において使用した剤は、以下のとおりである。
【００２８】
（１）アルカリ剤（成分Ａ）
Ａ−１：オルソ珪酸ナトリウム（広栄化学工業社製、商品名：ネオオルソ８０粉）
Ａ−２：メタ珪酸ナトリウム（日本化学工業社製、商品名：無水メタ珪酸ソーダ）
Ａ−３：水酸化ナトリウム（東ソー社製、商品名：トーソーパール粒状苛性ソーダ）
【００２９】
（２）非イオン界面活性剤（成分Ｂ）
Ｂ−１：Ｃ１４〜Ｃ１５アルコールＰＯ３ＥＯ８（Ｃ１４〜Ｃ１５アルコール（シェルジャパン社製  商品名：ネオドール４５）にプロピレンオキサイド（以降ＰＯと略）を３モル付加した後、エチレンオキサイド（以降ＥＯと略）を８モル付加させたもの）
Ｂ−２：ジスチレン化フェノールＥＯ１２（ジ−（α−メチルベンジル）−フェノール（三光社製  ＳＰ−２３）にＥＯを１２モル付加させたもの）
Ｂ−３：Ｃ１２アルコールＥＯ７（日本触媒社製、商品名：ソフタノール７０）
Ｂ−４：Ｃ１２アルコールＥＯ９（日本触媒社製、商品名：ソフタノール９０）
Ｂ−５：Ｃ１２アルコールＥＯ１２（日本触媒社製、商品名：ソフタノール１２０）
Ｂ−６：Ｃ１２アルコール（ＥＯ１／ＰＯ２）（ＥＯ３／ＰＯ１）（Ｃ１２アルコール（シェルジャパン社製  商品名：ネオドール２３）に、ＥＯ１モルとＰＯ２モルをランダム付加させた後、ＥＯ３モルとＰＯ１モルをランダム付加させたもの）
Ｂ−７：Ｃ１２アルコールＥＯ３（ＥＯ１．５／ＰＯ２．５）ＥＯ１．５（Ｃ１２アルコール（シェルジャパン社製  商品名：ネオドール２３）に、ＥＯ３モル付加させた後、ＥＯ１．５モルとＰＯ２．５モルをランダム付加させ、さらに、ＥＯ１．５モル付加させたもの）
Ｂ−８：Ｃ１２アルコールＥＯ３（ＥＯ２．５／ＰＯ２．５）ＥＯ３（Ｃ１２アルコール（シェルジャパン社製  商品名：ネオドール２３）に、ＥＯ３モル付加させた後、ＥＯ２．５モルとＰＯ２．５モルをランダム付加させ、さらに、ＥＯ３モル付加させたもの）
Ｂ−９：Ｃ１２アルコールＥＯ３（ＥＯ３／ＰＯ２．５）ＥＯ８（Ｃ１２アルコール（シェルジャパン社製  商品名：ネオドール２３）に、ＥＯ３モル付加させた後、ＥＯ３モルとＰＯ２．５モルをランダム付加させ、さらに、ＥＯ８モル付加させたもの）
Ｂ−１０：Ｃ１８アミンＥＯ２０（Ｃ１８アミン（日油社製  商品名：アミンＡＢＴ−Ｒ）にＥＯ２０モル付加させたもの）
【００３０】
（３）その他（成分Ｃ）
Ｃ−１：３５％過酸化水素水（保土ヶ谷化学工業社製、商品名：過酸化水素３５％）
Ｃ−２：モノエタノールアミン（三井化学社製、商品名：モノエタノールアミン）
Ｃ−３：ジエタノールアミン（三井化学社製、商品名：ジエタノールアミン）
Ｃ−４：トリエタノールアミン（三井化学社製、商品名：トリエタノールアミン）
Ｃ−５：炭酸ナトリウム（トクヤマ社製、商品名：ソーダ灰）
Ｃ−６：トリポリリン酸ナトリウム（下関三井化学社製、商品名：トリポリリン酸ソーダ）
Ｃ−７：ニトリロ三酢酸三ナトリウム（ＢＡＳＦ社製、商品名：トリロンＡ９２Ｒ）
【００３１】
［実施例１］
実施例１の洗浄用組成物は、試験ポットに、以下の表１に示すとおり、０．０２５ｇのＡ−１（終濃度：０．０５質量％）と、０．０２５ｇのＢ−１（終濃度：０．０５質量％）と、１ｇのＣ−１（有効酸素濃度：約３２０ｐｐｍ）を添加し、カルシウム硬度６０の水で５０ｍＬに調整することにより製造した。上記洗浄用組成物のｐＨは、以下の表１に示すとおりである。
【００３２】
［実施例２〜５０］
実施例２〜５０の洗浄用組成物は、以下の表１に示す成分及び組成に変更した他は、実施例１と同じ方法で調製した。上記各洗浄用組成物のｐＨは、以下の表１に示すとおりである。
【００３３】
［比較例１〜４０］
比較例１〜４０の洗浄用組成物は、以下の表２に示す成分及び組成に変更した他は、実施例１と同じ方法で調製した。上記各洗浄用組成物のｐＨは、以下の表２に示すとおりで
ある。
【００３４】
【表１】
2020059796.tif 000003
【００３５】
【表２】
2020059796.tif 000004
【００３６】
【表３】
2020059796.tif 000005
【００３７】
【表４】
2020059796.tif 000006
【００３８】
【表５】
2020059796.tif 000007
【００３９】
【表６】
2020059796.tif 000008
【００４０】
【表７】
2020059796.tif 000009
【００４１】
【表８】
2020059796.tif 000010
【００４２】
上記実施例１〜５０、比較例１〜４０で得られた各種洗浄用組成物について、移染防止性試験、洗浄・漂白試験を行った。
【００４３】
１．移染防止性試験
被洗物として、カチオン染料染め(ワイン色)のポリエステル１００％品、及び、分散染料染め(ワイン色)のポリエステル１００％品、及びポリエステル１００％ジャージ白布を使用した。前記染色布及び白布を４×５ｃｍに裁断し、これらの２枚ずつをスチールボール１０個と共に実施例１〜５０、比較例１〜４０の各種洗浄液で、６０℃で３０分、ラウンダオメータを用いて同浴で洗浄した。
【００４４】
洗浄後、上記染色布及び白布をすすぎ、乾燥し、白布表面の色彩値（Ｌ＊値、ａ＊値、ｂ＊値）を色彩色差計ＣＲ−２００（コニカミノルタ社製）により測定した。次に、洗浄前後の白布の色差（ΔＬ＊値、Δａ＊値、Δｂ＊値）から、ΔＥ＝（ΔＬ2＋Δａ2＋Δｂ2）1/2を算出し、以下の表３に示す評価基準に従い８段階で評価した。以下の評価基準で○--以上を合格とした。
評価結果を以下の表７に示す。
【００４５】
【表９】
2020059796.tif 000011
【００４６】
２．洗浄・漂白試験
被洗物として、湿式人工汚染布（財団法人洗濯科学協会製）、ＥＭＰＡ１１４汚染布（スイス連邦材料試験研究所製）を用いた。上記湿式人工汚染布、及び４×５ｃｍに裁断した上記ＥＭＰＡ１１４汚染布それぞれ４枚を、スチールボール１０個と共に実施例１〜５０、比較例１〜４０の各種洗浄液で、６０℃で１５分、ラウンダオメータを用いて同浴で洗浄した。
【００４７】
洗浄後、上記湿式人工汚染布及びＥＭＰＡ１１４汚染布をすすぎ、乾燥し、前記汚染布の表面の反射率（５５０ｎｍ）を色彩計ＣＭ−５３Ｄ（村上色彩技術研究所社製）により測定した。以下の式を用いて、湿式人工汚染布については、洗浄率を算出し、ＥＭＰＡ１１４汚染布については、漂白率を算出した。そして、洗浄率については、以下の表４に示す評価基準に従い８段階で評価し、漂白率については、以下の表５に示す評価基準に従い７段階で評価した。以下の評価基準で○--以上を合格とした。評価結果を以下の表７に示す。
【００４８】
洗浄率（％）＝１００×［（洗浄後の反射率−洗浄前の反射率）／（白布の反射率−洗
浄前の反射率）］
漂白率（％）＝１００×［（洗浄後の反射率−洗浄前の反射率）／（白布の反射率−洗浄前の反射率）］
【００４９】
【表１０】
2020059796.tif 000012
【００５０】
【表１１】
2020059796.tif 000013
【００５１】
【表１２】
2020059796.tif 000014
【００５２】
【表１３】
2020059796.tif 000015
【００５３】
【表１４】
2020059796.tif 000016
【００５４】
上記表７から明らかなとおり、ｐＨが１１．５未満の洗浄用組成物（比較例１〜８、１２〜２０、２４〜４０）、アルカリ金属炭酸塩、アルカリ金属リン酸塩、及びアミノカルボン酸塩の合計濃度が０．２質量％以上のもの（比較例６〜１１、１８〜２３）は、移染防止性、洗浄性、漂白性のいずれかが劣るものであることが確認された。
【００５５】
これに対し、実施例１〜５０の洗浄用組成物は、アルカリ金属珪酸塩又はアルカリ金属水酸化物を用い、ｐＨを１１．５以上、かつ、アルカリ金属炭酸塩、アルカリ金属リン酸塩及びアミノカルボン酸塩の合計濃度を０．２質量％未満に調整したものであるが、移染防止性、洗浄性、漂白性のいずれもが優れることが確認された。
【産業上の利用可能性】
【００５６】
本発明により移染防止性、洗浄性、漂白性のいずれもが優れる洗浄用組成物が提供され
る。本発明の洗浄用組成物は、ポリエステル衣料の洗浄において極めて有用であり、産業上利用可能性を有している。